(57)【特許請求の範囲】
【請求項１】
骨組みを形成する架構を所定間隔をもって複数配設し、架構を構成するメインフレームの間に長尺シートを牽引し展張させるテント構造物において、
前記メインフレームは断面略Ｕ字状のチャンネル部材であり、その側壁に多数の開口を形成するとともに、
当該メインフレームの側壁に巻き込まれて締着される前記長尺シートの両サイド部分に所定形状の開口を設ける一方、
各長尺シートの長手方向端部に沿って、所定の突出寸法をもったファスナシートを設けるとともに、該ファスナシートの長手方向他端部にジッパーを配し、
隣接しあう長尺シートに配した各ファスナシートを、前記メインフレームの上部開口面を跨いで前記ジッパーにより閉塞可能としたことを特徴とするテント構造物の換気構造。
【請求項２】
骨組みを形成する架構を所定間隔をもって複数配設し、架構を構成するメインフレームの間に長尺シートを牽引し展張させるテント構造物において、
前記メインフレームは、梁部材に所定間隔をもって配設固定した略Ｕ字状の補強部材によって構成し、
当該メインフレームの側壁に巻き込まれて締着される前記長尺シートの両サイド部分に所定形状の開口を設ける一方、
各長尺シートの長手方向端部に沿って、所定の突出寸法をもったファスナシートを設けるとともに、該ファスナシートの長手方向他端部にジッパーを配し、
隣接しあう長尺シートに配した各ファスナシートを、前記メインフレームの上部開口面を跨いで前記ジッパーにより閉塞可能としたことを特徴とするテント構造物の換気構造。
【請求項３】
前記メインフレームを閉塞するファスナシートの前記ジッパーの下方に、樋部材を配することを特徴とする請求項１または請求項２記載のテント構造物の換気構造。
【発明の詳細な説明】
【０００１】
【産業上の利用分野】
本発明は、プールハウスや農業用ハウス等に使用する大規模なテント構造物に係り、とくにハウス内空気の換気を実現するための構造技術に関する。
【０００２】
【従来の技術】
各種の用途に使用される大規模なテント構造物は、従来、例えば図８に示すように構成される（実開昭６２−１８０１５４号公報）。これはプール用の仮設ハウスであるが、プール１の全体を覆うように複数の架構２を配設し、この架構２に複数枚の長尺シート３を展張するものである。符号４は、架構２のメインフレームで、切妻屋根を構成する合掌梁４ａと、平面（ひらめん）を構成する支柱４ｂを備える。また符号５は妻面用シート、６はメインフレーム４の支柱４ｂを立設固定するための基礎である。
【０００３】
長尺シート３を展張するためのメインフレーム４は、例えば図９に示すようにＨ鋼を用いた梁材７の上に断面略Ｕ字状のチャンネル部材４ａを配設固定し、長尺シート３の端部８を巻き込んで締着するよう、袋状に成形した長尺シート３の端部８の中に牽引ワイヤ９を挿通させてある。尚、符号１０は、巻き込んだ長尺シート３の折曲角部の破損を防止するための丸材、１１は長尺シート３を牽引展張するときに使用するガイド部材（図示せず）用の案内レール、１２はその支持部材である。
【０００４】
かかる構造によれば、長尺シート３の一端部にガイド部材を固定し、このガイド部材を牽引ロープを用いて案内レール１１に沿って走らせることにより、長尺シート３を一方の平面支柱４ｂから屋根部分を通って他方の平面支柱側に掛け渡すことが可能となる。牽引ロープを使用して掛け渡し、掛け外しが可能であるから作業員は屋根に上がる危険がなく、作業の安全性が高まり、作業効率も向上する。
【０００５】
【発明が解決しようとする課題】
問題は、従来のテント構造では、自由な換気が難しいという点にある。
大規模なテント構造物は、プール用ハウス、農業ハウス、産業用簡易倉庫、イベントハウス等の各種の用途に用いられるが、換気ができない結果として、施設利用上の不具合が少なくない。農業ハウスでいえば夏期の温度上昇や冬季暖房に伴う室内空気の汚れが作物に影響を与える虞れがあり、簡易倉庫でいえば温度上昇や空気の汚濁に伴う作業員の疲労、あるいは保管資材への悪影響も懸念され、自由な構造物利用を妨げる原因となった。
【０００６】
テント構造物は、一般の建築構造体と異なり、各種の換気構造を採用しにくい作りとなっている。なぜなら、テント構造物は、樹脂系シート等の長尺シートをきつく展張させるため自由な開口部を設け難く、また構造躯体も比較的弱いため換気ファンやクーラー設備等の重量物を配しにくいからである。また小型の装置を使用するにしても、設備コストがかかるだけでなく、反響騒音がひどく、実用に絶えないからである。
【０００７】
例えば、最も簡単には図１０に示すように、天井の任意箇所に開口部１５を設ける方法が考えられるのであるが、長尺シート３そのものが左右矢印Ｘおよび上下矢印Ｙの各方向に強く展張されているため、開口部にかかる引張負荷によって開口部１５は容易に破損する可能性がある。また、たとえ開口部１５の周囲に補強フレームを配したとしても、雨よけのシートは必要であり、そのシートを開け閉めする装置や構造は実用面での課題が残る。かかる構造によって天井の開口を開け閉めすることは、手動操作によっては不可能となるため、何らかの機械的装置、とくにリモートコントローラを必要とする。しかしながら、リモートコントロールによる天井開口の操作機構は技術的には勿論可能であるが、モータや油圧系の重量装置をテント構造の天井まわりに配するのは安全設計の点で好ましくない。
【０００８】
このため従来のテント構造物では、出入口となる妻面、あるいは平面に換気用の窓を設ける等の対処を行った。しかしながら陽光の熱気、暖房や呼吸等に伴う汚濁した空気は天井まわりに淀み、外部に排出できないのが実情である。大規模なテント構造物は天井までの高さが５〜６ｍ以上になるので、床面に置いた扇風機等の対処によっては天井部分の淀み空気を排出することは困難である。
【０００９】
そこで本発明の目的は、テント構造物における天井まわりの空気を、テント構造に無理を与えることなく、かつ重量装置類を使用することなく自由に換気可能とする点にある。
【００１０】
【課題を解決するための手段】
前記目的を達成するため、本発明に係るテント構造物の換気構造は、骨組みを形成する架構を所定間隔をもって複数配設し、架構を構成するメインフレームの間に長尺シートを牽引し展張させるテント構造物を技術的前提として、前記メインフレームは断面略Ｕ字状のチャンネル部材であり、その側壁に多数の開口を形成するとともに、当該メインフレームの側壁に巻き込まれて締着される前記長尺シートの両サイド部分に所定形状の開口を設ける一方、各長尺シートの長手方向端部に沿って、所定の突出寸法をもったファスナシートを設けるとともに、該ファスナシートの長手方向他端部にジッパーを配し、隣接しあう長尺シートに配した各ファスナシートを、前記メインフレームの上部開口面を跨いで前記ジッパーにより閉塞可能とする。
【００１１】
メインフレームの構造を変える場合は、メインフレームを、梁部材に所定間隔をもって配設固定した略Ｕ字状の補強部材によって構成し、当該メインフレームの側壁に巻き込まれて締着される前記長尺シートの両サイド部分に所定形状の開口を設ける一方、各長尺シートの長手方向端部に沿って、所定の突出寸法をもったファスナシートを設けるとともに、該ファスナシートの長手方向他端部にジッパーを配し、隣接しあう長尺シートに配した各ファスナシートを、前記メインフレームの上部開口面を跨いで前記ジッパーにより閉塞可能とする場合がある。
【００１２】
またジッパー構造をとる結果として、当該ジッパーの構造空隙を通してメインフレームに滴下する雨水を排除するため、ジッパー下方に樋部材を配する場合がある。
【００１３】
【作用】
本発明に係るテント構造物の換気構造は、メインフレームに換気用の開口を形成すると同時に、当該開口部分を覆う長尺シートの側端部にも開口を形成して、天井まわりの換気を可能とする。但し、そのままでは降雨時に天井部分から雨水が侵入し、テントハウスの使用が妨げられる。このため断面略Ｕ字状を呈するメインフレームの上部開口部分を、ジッパー付きのファスナーシートによって被覆し、雨の侵入を防止する。
【００１４】
このファスナーシートは、単に雨水を遮るだけではない。長尺シートの側端部をメインフレームの上部開口中央方向へ引っ張ることによって、長尺シートの側端部に形成した開口にかかる引張力を緩和し、開口の破損を確実に防止する機能を営むからである。
【００１５】
メインフレームの側壁に開口を形成する場合は、当該Ｕ字状のチャンネル部材（溝部材）がそのまま樋部材としての機能を果たすので、ファスナーシートのジッパー部分から入り込む雨水は、チャンネル部材の底面を伝って外部に排出することが出来る。
【００１６】
一方、メインフレームの構造を、連続的な溝形状をもったチャンネル部材ではなく、請求項２に記載するように略Ｕ字状の不連続な補強部材をもって構成する場合は、ファスナーシートのジッパー部分から浸入する雨水をそのままでは排除できない。補強部材と補強部材の隙間を通り抜け、雨水は自由に落下するからである。このためメインフレームの形状を請求項２に記載した略Ｕ字状の補強部材に変えるときは、ジッパー下部に樋部材を配する。尚、ジッパーの配設位置は、通常、メインフレームの上部開口中央になるので、その場合は樋部材をメインフレームの上部開口中央部に配すれば良い。但し、ジッパーの配設位置は中央部に限らないので、配設位置に応じて樋部材の配設位置も変更する必要がある。
【００１７】
尚、メインフレームに断面略Ｕ字状のチャンネル部材を使用する場合であっても、側壁の開口が大きな場合や、底面に達する場合は雨水の排除が難しくなる場合がある。このためジッパー下部に設ける樋部材は、請求項３にも記載したように、チャンネル部材を使用する場合であっても設けることが出来る。
【００１８】
【実施例】
図１〜図４は、本発明に係るテント構造物の換気構造の一例を示すものである。この実施例に係る換気構造は、図２に示すように、メインフレーム２０に断面略Ｕ字状のチャンネル部材を使用し、両側の側壁２１に多数の開口２２を設ける。２３は底面、２４は梁部材である。尚、梁部材２４はＩ字鋼に限らず管材（丸管、角管を問わない）を含む各種の型鋼材を使用できる。開口２２の形状は、成形の容易と剛性の点から方形、円形が好ましいがとくに形状は限定されない。勿論、開口２２の寸法は可能な限り大きく設定する。横長のスリット状に穿設形成しても良い。
【００１９】
一方、図３に示すように、長尺シート３０は、基本的には従来の長尺シートとほぼ同じ形状に成形するが、メインフレーム２０内に巻き込んで締着する両端部３１，３２に、適当形状の開口４１を形成する。また、両端部３１，３２から所定量の突出寸法をもって、ファスナーシート３５，３６を設け、このファスナーシート３５，３６の他端部にジッパー４５，４６を設ける。
【００２０】
長尺シート３０の両端部３１，３２は、展張用の牽引ワイヤ９を閉じ留めるため袋部３３を設ける。開口４１は、引張による変形破損を防止するため、好ましくは袋部３３に形成するが、二重になっていない一般部に跨って形成しても構わない。また開口４１の形状も、成形の容易と剛性の点から方形、円形が好ましいがとくに形状は限定されない。
【００２１】
図４に示すように、ファスナーシート３５，３６の突出寸法Ｒ１，Ｒ２は、メインフレーム２０の断面幅Ｌとの関係で、ジッパーの閉時には、Ｒ１＋Ｒ２＝Ｌとなる。但し、ジッパーの操作性を確保する等の理由から寸法には若干の余裕をもたせ、Ｒ１＋Ｒ２＞Ｌとなるようファスナーシート３５，３６の裁断成形を行うことが望ましい。
【００２２】
ジッパー４５，４６を開閉操作するためのジッパータブ４８（図１，図４）は、長尺シート３０を架構に配設した後に、その下端が位置するハウスの平側から両ジッパー４５，４６の端部に装着し、牽引ロープ５０を用いて走らせる。これは次の通りである。
【００２３】
図５に示すように、二つのジッパータブ４８ａ，４８ｂを、テントハウスの平側（支柱４ｂ側）から同時に駆動するため、ハウスの両側の軒部分（支柱４ｂの適当箇所で良い）に第一の滑り材５１，５２と、その上方に第二の滑り材５４，５５を設けるとともに、屋根の最上部（棟部分）に第三の滑り材５３を設け、これらのローラ５１〜５５に、牽引ロープ５０をいわゆるエンドレス形式で装着する。ジッパータブ４８ａ，４８ｂは、ファスナーシート３５，３６に支持されているので、軌道が上方に変更されつつ移動することになる。尚、滑り材５１〜５５は、手動によって牽引ロープ５０を牽引操作するときに、牽引ロープ５０を自由に活動させる形状であれば良く、好ましくは断面円形のものを使用する。それ自体が回転する必要はないが、回転可能なローラ部材を用いても構わない。牽引ロープ５０の掛け廻しは、滑り材５１，５２の近傍において牽引ロープ５０を引いたときに、二つのジッパータブ４８ａ，４８ｂが、同時に接近移動または離隔移動するように配設することが望ましい。
また滑り材５１，５２に代え、当該部分に回転ローラを配した場合であって、かつ当該ローラを上下動可能として牽引ロープ５０に必要十分なテンションをかける構造を採る場合には、手動以外にも例えばドリルモータ等の回転装置を用いることにより、電動によるジッパーの開閉駆動が可能となる。例えば一方の回転ローラ（５１の部分）を正転させると、ジッパータブ４８ａ，４８ｂは上方に向かって移動してジッパー４５，４６を閉じる動作を行い、回転ローラ（５１の部分）を逆転させると、ジッパータブ４８ａ，４８ｂは下方に向かって移動し、ジッパー４５，４６を開く動作を行う。尚、上方、下方とは、切妻屋根における位置関係である。
【００２５】
尚、二つのジッパータブ４８ａ，４８ｂは、それぞれ独立駆動しても本発明の目的である換気構造を同じように実現できる。その場合は、第三の滑り材５３と左右の滑り材ローラ５１，５２，５４，５５にそれぞれ個別の牽引ロープを掛け渡し、各牽引ロープを手動（または電動）によって牽引操作すれば良い。
【００２６】
従って、かかるテント構造によれば、ジッパータブ４８ａ，４８ｂの駆動操作により、ファスナーシート３５，３６の開閉が可能となり、テントハウスの換気の必要性に応じてファスナーシート３５，３６を開き、開口２２，４１を介して天井まわりの空気を外気排出し、新鮮な空気を天井部分、または適当箇所、例えば平面の窓あるいは妻面の出入口開口から導入させることが可能となる。
【００２７】
また外気温の低下時あるいは雨天時には、ジッパータブ４８ａ，４８ｂの駆動操作によりファスナーシート３５，３６を閉じ、テントハウス内空気の温度低下を防ぎ、また雨水浸入を確実に防止できる。ジッパーの開閉操作は、滑り材を介した簡単な構成によって実現できるので、作業上の危険もなく設備コストの上昇も生じない。また自然換気であるから強制換気に較べて騒音の問題もなく、構造自体の絶対的安全性も確保できる。
【００２８】
図６，図７は、第二の換気構造を例示するものである。この構造は、メインフレーム６０を、適当形状の梁材６１と略Ｕ字状の補強部材６２をもって構成し、補強部材６２を適当間隔で配する一方、その中央上方部位に樋部材７０を配してなる。符号７１は、樋部材７０を支持するための支持部材である。
【００２９】
複数の補強部材６２でメインフレーム６０を構成する場合、従来のチャンネル型のフレーム材を使用する場合と異なり、重量の軽減や構造部材の取り扱いの容易等、設備コストを低減する点では優れた効果を得るが、一方において、雨水の浸入を確実に防止することが困難になる。従来のチャンネル部材のように、雨水の排出構造がなくなるからである。そこで、支持部材７１を介して適当形状の樋部材７０を配し、雨天時にジッパー部分から浸入する雨水を外部に排出できるようにした。
【００３０】
略Ｕ字状の補強部材６２を使用すると、メインフレーム６０の設計、製造、加工、搬入搬出等の取り扱いが容易になり、施工／メンテナンスにおけるコスト面での有利性を確保できるだけでなく、換気効率が格段に高まり、長尺シート３０の開口設計も容易になるなど、テント構造物を新設する場合において優れた利点を発揮する。
【００３１】
樋部材７０はメインフレーム６０に沿って配するが、メインフレーム６０の断面構造からみた場合の配設位置は、必ずしも中央部位に限らない。なぜなら長尺シート３０の成形において、とくにファスナーシート３５，３６部分の突出量が必ずしも同一（Ｒ１＝Ｒ２）であるとは限らず、ジッパー位置が左右どちらか一方に偏って成形される場合があるからである。ジッパー位置の配設設計は自由であるから、いずれにせよ樋部材７０はジッパーの下方位置に配し、機能的に雨水を排除できれば良い。樋部材７０は断面略Ｕ字状とするがその具体的形状は問わない。
【００３２】
尚、従来提案されたテント構造物では、長尺シートの展張操作に関してガイドレールを用いる等、複雑な設備構成をとる場合が少なくなかった。しかし長尺シートの展張操作はより簡単な構成が可能であり、チャンネル部材の中央空間を占めるようなガイドレール等の余分な設備部材は必ずしも必要ではない。本発明においてメインフレームの中央に樋部材７０を配するのも、従来提案されていたシート展張用のガイドレールを必要とせず、より単純な方式で長尺シートの展張／巻取りが可能だからである。この技術は既に当業者において公知である。
【００３３】
【発明の効果】
以上説明したように本発明に係る換気構造によれば、テント構造物の天井まわりの空気を、構造に無理を与えることなく、かつ重量装置類を使用することなく自由に換気可能とすることが出来る。
【図面の簡単な説明】
【図１】  本発明に係る換気構造の一例を示す部分切欠斜視図である。
【図２】本発明に係るメインフレームの一例を示す斜視図である。
【図３】本発明に係る長尺シートの一例を示す斜視図である。
【図４】本発明に係る換気構造の一例を示す断面図である。
【図５】本発明に係るジッパータブの駆動構造例を示す原理図である。
【図６】第二の発明に係るメインフレームの構造例を示す図である。
【図７】第二の発明に係る換気構造例を示す断面図である。
【図８】従来のテント構造物の概略を例示する図である。
【図９】従来の構造におけるテントシート側部の締着構造を例示する図である。
【図１０】従来の構造において可能な換気構造の一例を示す図である。
【符号の説明】
９    牽引ワイヤ
２０，６０  メインフレーム
２１  側壁
２２  開口
２３  底面
２４  梁部材
３０  長尺シート
３１  両端部
３３  袋部
３５，３６  ファスナーシート
４１，４２  開口
４５，４６  ジッパー
４８  ジッパータブ
５０  牽引ロープ
５１，５２  回転ローラ
５３  中心ローラ
６１  梁材
６２  補強部材
７０  樋部材
７１  支持部材
【図１】
0004031579.tif 000002
【図２】
0004031579.tif 000003
【図３】
0004031579.tif 000004
【図４】
0004031579.tif 000005
【図５】
0004031579.tif 000006
【図６】
0004031579.tif 000007
【図７】
0004031579.tif 000008
【図８】
0004031579.tif 000009
【図９】
0004031579.tif 000010
【図１０】
0004031579.tif 000011